(57)【要約】      （修正有）【課題】包装袋を直立状態、横置き、または縦置きとした場合であっても一枚ずつポリ袋を取り出すことができ、さらに、折り畳まれたポリ袋の引き出し時に指で摘まみ易いポリ袋の包装袋を提供する。【解決手段】折り畳まれて重合されたポリ袋が収納された略直方体形状の包装袋２であり、包装袋の端部の角部に両側面に跨るミシン目３を形成したことを特徴とする。好ましくは、包装袋の端部の角部に両側面に跨るミシン目に加えて包装袋の稜線部４に跨る枠状のミシン目５を形成する。【選択図】図３
0003217096.tif 000002
【実用新案登録請求の範囲】
【請求項１】
折り畳まれて重合されたポリ袋が収納された略直方体形状の包装袋であり、該包装袋の端部の角部に両側面に跨るミシン目を形成したことを特徴とするポリエチレン袋の包装袋。
【請求項２】
請求項１記載のポリエチレン袋の包装袋であって、前記包装袋の端部の角部の両側面に形成したミシン目に加えて包装袋の稜線部に跨る枠状のミシン目を形成したことを特徴とするポリエチレン袋の包装袋。
【考案の詳細な説明】
【技術分野】
【０００１】
本考案は、ポリエチレン袋の包装袋に関する。
【背景技術】
【０００２】
ポリエチレン袋（以下単に「ポリ袋」という）は、家庭、店舗等において食品及び商品等の包装、ごみ袋等として多く使用されている。該ポリ袋はそれぞれコンパクトに折り畳まれて、さらにその多数枚を重合して包装袋に収納して市場に提供されている。
【０００３】
そしてユーザーは、包装袋に形成された取出口を開口して該取出口からポリ袋を一枚ずつ取り出して使用している。しかしながら、多数枚が重合されて収納されたポリ袋を一枚ずつ分離して包装袋から取り出すことが困難であった。
【０００４】
従来、収納したポリ袋を確実に一枚ずつ、簡単に取り出すことができ、さらに包装体の上側面に必ず取出口が位置するようにして、包装袋の向きを気にして収納する手間を省くことができる包装袋が提案されている（特許文献１）。
【０００５】
前記包装袋は、略直方体形状の袋体の上下面と、前後面とが交わる部分に形成される稜線に、隣接する二つの面に跨るミシン目を形成することを特徴としている。そして、袋体に形成される四つの稜線部のうち、少なくとも対向する二つの稜線部に枠状のミシン目を構成する、としている。
【０００６】
前記提案によれば、上下面及び前後面のいずれかの面を下にして包装袋を横置
き、または縦置きにした場合であっても、必ず二つの取出口を上面に位置させることができる。したがって、例えば、調理台上等に包装袋を横置きに置いた場合には、前後の取出口のどちらからでもポリ袋を取り出すことができるので使い勝手のよい包装袋とすることができる、としている。
【０００７】
その他、略ボックス状のポリ袋用ポリエチレン製パッケージの複数の側面に開口部を形成できるポリ袋用ポリエチレン製パッケージが提案されている（特許文献２）。この提案によれば、使用場所によって一つの側面が塞がれた場合であっても、他の側面部の破線を切り取って開口部とすることで、任意の側面から収納しているポリ袋を取り出すことができる、としている。
【先行技術文献】
【特許文献】
【０００８】
【特許文献１】登録実用新案第３１８０３９１号公報
【特許文献２】登録実用新案第３１７０６５５号公報
【考案の概要】
【考案が解決しようとする課題】
【０００９】
前記従来の提案は、いずれも折り畳まれたポリ袋の中央部分を指で摘まんで取出口から引き出すものであった。しかし、折り畳まれたポリ袋の中央部分は指で摘まみにくいという問題があった。さらに、ポリ袋はその中央部分に続いて両端部分が順次取出口から取り出されるために隣接しているポリ袋が一緒に引き出される場合があった。
【００１０】
本考案は、包装袋を直立状態にしてポリ袋を一枚ずつ取り出すことができるとともに、その他、横置き、または縦置きとした場合であっても一枚ずつポリ袋を取り出すことができるユーザーの使い勝手を拡大した包装袋を提供することを目的とする。さらに、折り畳まれたポリ袋の引き出し時に該ポリ袋を指で摘まみ易い包装袋を提供することを目的とする。
【課題を解決するための手段】
【００１１】
前記課題を解決するため、本考案のポリエチレン袋の包装袋は、折り畳まれて重合されたポリ袋が収納された略直方体形状の包装袋であり、該包装袋の端部の角部に両側面に跨るミシン目を構成したことを特徴とする（請求項１）。
【００１２】
前記構成の本考案では、包装袋の端部の角部に両側面に跨って形成されたミシン目に沿って包装袋の端部の角部を分離すると収納されたポリ袋の角部が露出する。したがって、ユーザーは露出した折り畳まれたポリ袋の摘まみ易い角部を指で摘まんで引き抜くことによりポリ袋を容易に取り出すことができる。
【００１３】
本考案の包装袋は前記ポリ袋の露出端部を上部にして起立させた状態で使用することができる。したがって、置きスペースを最少にして使用することもできる。さらに、本考案の包装袋は、いわゆる横置き、または縦置きとした場合であっても摘まみ易いポリ袋の角部を摘まんで一枚ずつポリ袋を取り出すことができるのでユーザーの使い勝手が拡大される。
【００１４】
なお、前記包装袋の端部の角部のミシン目の形成位置は、略直方体形状の大きさ、特に横の長さによって異なる。
【００１５】
例えば、前記ミシン目を包装袋の長さ方向に延長して、例えば、全長の２分の１の地点、すなわち、包装袋全長の中央地点にまで形成した場合には包装袋の端部の角部を取り除いた時にポリ袋の露出部分が大きくてポリ袋の取り出しは容易である。しかし、収納されたポリ袋に対する包装袋の抑えが緩んで収納されたポリ袋の荷崩れが生じるおそれがある。
【００１６】
反対に、前記のポリ袋の荷崩れを防止するために包装袋の極めて端部に近い角部にミシン目を形成すると収納されたポリ袋の端部を指で摘まむことが難しくなりポリ袋を取り出すことが困難になる。
【００１７】
したがって、前記包装袋の端部の角部のミシン目は、包装袋の端部の角部を取り除いても内部に収納されたポリ袋の荷崩れが生じるおそれがなく、且つ、露出したポリ袋の角部を指で摘まみ易い地点に形成される。
【００１８】
本考案の実施の一形態は、請求項１に記載のポリエチレン袋の包装袋であって前記包装袋の端部の角部に両側面に跨って形成したミシン目に加えて包装袋の長手方向の稜線部に跨る枠状のミシン目を構成したことを特徴とする（請求項２）。
【００１９】
包装袋の長手方向の稜線部に跨る枠状のミシン目を構成することはすでに提案されているが、本考案の包装袋の端部の角部の両側面に跨って形成したミシン目と相俟ってユーザーの使い勝手がさらに拡大される。
【考案の効果】
【００２０】
本考案によれば、包装袋を直立状態にして狭いスペースでポリ袋を一枚ずつ容易に取り出すことができる。さらに、いわゆる横置き、または縦置きとした場合であっても一枚ずつポリ袋を取り出すことができるのでユーザーの使い勝手が拡大される。さらに、ポリ袋の引き出し時には折り畳まれたポリ袋の摘まみ易い角部を指で摘まんで容易に引き出すことができる。
【図面の簡単な説明】
【００２１】
【図１】本考案の実施の一形態に係るポリエチレン袋の包装袋の斜視図である。
【図２】端部を分離した状態を示す包装袋の斜視図である。
【図３】他の実施例を示す概略斜視図である。
【図４】他の実施例を示す概略斜視図である。
【考案を実施するための形態】
【００２２】
以下に図面を参考に本考案を説明する。
【００２３】
図１及び図２に示すように、家庭、店舗等において食品、商品等の包装、ごみ袋等として使用されるポリ袋１は、１６折り、３２折りなど、それぞれ折り畳まれて、さらにその多数枚を重合してポリエチレン等のシート部材からなる包装袋２に収納して市場に提供されている。それらはいずれも略直方体形状である。
【００２４】
本考案では、前記包装袋２の端部の角部に両側面に跨るミシン目３が形成される。該ミシン目３はポリ袋１の取出し時に手動で分離可能に形成される。さらに、ミシン目３は、包装袋２の端部２ａを分離しても内部に収納されたポリ袋の荷崩れが生じることがなく、且つ、露出したポリ袋１の端部が指で摘まみ易い地点に設けられる。
【００２５】
図３及び図４は、本考案の包装袋の端部の角部の両側面に跨るミシン目３に加えて包装袋１の長手方向の稜線４に跨る枠状のミシン目５を形成した実施例である。図３は二つの稜線４に跨って一つの枠状のミシン目５を形成した実施例である。
【００２６】
また、図４は二つの稜線４に個々に枠状のミシン目５、５を設けた実施例である。
【００２７】
前記図３及び図４に示した包装袋の長手方向の稜線部に跨る枠状のミシン目５を形成することはすでに提案されているが、本考案の包装袋２の端部の角部に両側面に跨るミシン目３と相俟ってユーザーの使い勝手がさらに拡大されるものである。
【００２８】
なお、前記図３及び図４の図面実施例ではミシン目３を包装袋２の右側の端部の角部に形成したが左側の端部の角部に形成してもよい。
【符号の説明】
【００２９】
１  ポリ袋
２  包装袋
３  ミシン目
４  稜線
５  ミシン目
【図１】
0003217096.tif 000003
【図２】
0003217096.tif 000004
【図３】
0003217096.tif 000005
【図４】
0003217096.tif 000006